(57)【特許請求の範囲】
【請求項１】
鉛直に立てられた柱状物に物品を取り付けるための装柱架台であって、
長方形の枠体と、
前記枠体に取り付けられる足場と、を備え、
前記足場は、前記枠体に取り付けるための枠体締結部を備え、
前記枠体は、前記足場を、長方形の短辺および長方形の長辺の中央部に取り付けるための足場締結部を備え、
前記枠体を長方形の長辺が前記柱状物の鉛直軸に平行になるように前記柱状物に取り付ける時には、前記長方形の短辺に前記足場を取り付け、
前記枠体を長方形の長辺が前記柱状物の鉛直軸に垂直になるように前記柱状物に取り付ける時には、前記長方形の長辺に前記足場を取り付けるようにしたことを特徴とする装柱架台。
【請求項２】
前記枠体の前記足場締結部および前記足場の前記枠体締結部は貫通穴であり、前記枠体と前記足場はボルトおよびナットで締結される請求項１記載の装柱架台。
【請求項３】
２個のバンド締結部材と、前記２個のバンド締結部材を前記柱状物にバンド締めするための２つのバンドと、を備え
前記枠体および前記足場は、前記２個のバンド締結部材に取り付けられる請求項１または２記載の装柱架台。
【請求項４】
前記枠体は、長方形の短辺および長方形の長辺の中央部に前記バンド締結部材を取り付けるためのバンド部材締結部を備え、
前記足場は、前記枠体締結部と反対側の辺に、前記バンド締結部材を取り付けるための足場バンド締結部を備える請求項３記載の装柱架台。
【請求項５】
前記枠体は、長方形の一方の長辺に、作業者に接続される安全フックを掛ける安全フック部を備える請求項１から４のいずれか１項記載の装柱架台。
【請求項６】
前記枠体は、長辺方向に３つの部分に分けられ、
前記枠体を長方形の長辺が前記柱状物の鉛直軸に平行になるように前記柱状物に取り付ける時には、前記３つの部分のうち上側の２つの部分に２個の物品を装架し、
前記枠体を長方形の長辺が前記柱状物の鉛直軸に垂直になるように前記柱状物に取り付ける時には、前記３つの部分に３個の物品を装架することを特徴とする請求項１から５のいずれか１項記載の装柱架台。
【発明の詳細な説明】
【技術分野】
【０００１】
本発明は、電柱等の柱状物に物品を取り付けるための装柱架台に関する。
【背景技術】
【０００２】
近年、携帯端末の技術は進歩し、携帯端末の需要が増大している。それに伴い、各所に基地局を設置することが進められている。設置する基地局数は非常多く、低コストで簡易に設置することが求められている。
【０００３】
基地局を設置する場所として広く使用されているのが電柱等の柱状物である。柱状物に基地局を設置する場合、板材で形成した枠体および枠体に取り付けた取付け部材からなる装柱架台を、締結バンド等で柱状物に固定し、枠体および取付け部材に、アンテナ、無線装置および電源装置等を取り付ける。アンテナ以外の無線装置および電源装置等は、金属製の直方体に近い形状の筐体（物品）に収容されて取り付けられるのが一般的である。
【０００４】
なお、柱状物に基地局を設置する場合、地上にいる人間が基地局の物品に触れることのないように、地上から所定以上の高所に架台を取り付けることが求められる。そのため、基地局を設置する場合および基地局をメンテナンスする場合には、作業員は梯子等を利用して高所で作業を行う。高所での作業員の作業を容易にするため、架台に作業用の足場を設けることが行われる。作業員は梯子等を利用して足場に移動した後、足場において各種の作業を行う。
【０００５】
携帯端末の通信規格および使用する電波の周波数域などに応じて、柱状物に取り付けられる基地局を形成する物品の構成も異なる。例えば、従来の基地局は、アンテナ以外の物品を収容する筐体の個数が２個であるのに対して、新しい別の仕様の基地局は、筐体の個数が３個である場合などがある。
【０００６】
このように取り付ける筐体の個数が異なる基地局を設置する場合でも、共通の枠体および足場を使用して装柱架台を形成できることが、設置コストを低減する上では望ましい。
【０００７】
特許文献１は、柱状物の円周方向の異なる位置、具体的には、９０度異なる向きに３個の筐体を取り付ける架台を記載している。この架台の場合、取付け可能な筐体の横幅は柱状物の直径より小さいことが必要である。架台に柱状物の直径より大きな横幅の筐体を取り付けるには、取り付け面の幅が柱状物の直径より大きくなるように架台を２重構造とする必要があり、構造が複雑でコスト増になる。
【先行技術文献】
【特許文献】
【０００８】
【特許文献１】特開２０１０−１４８３３２号公報
【発明の概要】
【発明が解決しようとする課題】
【０００９】
本発明は、共通の枠体および足場を使用して、装架する物品（筐体）数が異なる場合でも、足場に立つことにより各筐体へのアクセスが容易な装柱架台を実現することを目的とする。
【課題を解決するための手段】
【００１０】
本発明の装柱架台は、足場を、長方形の枠体の短辺および長辺の中央部に取り付け可能にし、取り付ける物品（筐体）の個数が２個の場合には、枠体の長方形の短辺に足場を取り付けて、枠体を長方形の長辺が柱状物の鉛直軸に平行になるように柱状物に取り付けられるようにし、取り付ける物品（筐体）の個数が３個の場合には、枠体の長方形の長辺の中央部に足場を取り付けて、枠体を長方形の長辺が柱状物の鉛直軸に垂直になるように柱状物に取り付けられるようにする。
【００１１】
すなわち、本発明の装柱架台は、鉛直に立てられた柱状物に物品を取り付けるための装柱架台であって、長方形の枠体と、枠体に取り付けられる足場と、を備え、足場は、枠体に取り付けるための枠体締結部を備え、枠体は、足場を、長方形の短辺および長方形の長辺の中央部に取り付けるための足場締結部を備え、枠体を長方形の長辺が柱状物の鉛直軸に平行になるように柱状物に取り付ける時には、長方形の短辺に足場を取り付け、枠体を長方形の長辺が柱状物の鉛直軸に垂直になるように柱状物に取り付ける時には、長方形の長辺に足場を取り付けるようにしたことを特徴とする。
【００１２】
本発明によれば、枠体の長方形の長辺が柱状物の鉛直軸に平行にする場合と垂直にする場合とで、足場の枠体への取り付け位置が変更可能であり、３個の筐体を取り付ける場合には、３個の筐体が水平方向に３個並ぶので、枠体の長方形の長辺の中央部に設けた足場からいずれの筐体にもアクセス可能である。２個の筐体を取り付ける場合には、２個の筐体が垂直方向に２個並ぶが、２個であれば足場から上側の筐体までの距離は小さいので、枠体の長方形の短辺に設けた足場から上側の筐体にもアクセス可能である。
【００１３】
枠体の足場締結部および足場の枠体締結部は貫通穴であり、枠体と足場はボルトおよびナットで締結される。
【００１４】
装柱架台は、装柱架台を柱状物に取り付けるため、２個のバンド締結部材と、２個のバンド締結部材を柱状物にバンド締めするための２つのバンドと、をさらに備え、枠体および足場は、２個のバンド締結部材に取り付けられる。
【００１５】
枠体は、長方形の短辺および長方形の長辺の中央部にバンド締結部材を取り付けるためのバンド部材締結部を備え、足場は、枠体締結部と反対側の辺に、バンド締結部材を取り付けるための足場バンド締結部を備える。
【００１６】
枠体は、長方形の一方の長辺に、作業者に接続される安全フックを掛ける安全フック部を備える。
【００１７】
枠体は、長辺方向に３つの部分に分けられ、枠体を長方形の長辺が柱状物の鉛直軸に平行になるように柱状物に取り付ける時には、３つの部分のうち上側の２つの部分に２個の物品（筐体）を装架し、枠体を長方形の長辺が柱状物の鉛直軸に垂直になるように柱状物に取り付ける時には、３つの部分に３個の物品を装架する。
【発明の効果】
【００１８】
本発明の装柱架台によれば、共通の枠体および足場を使用して、２個および３個の物品（筐体）を取り付けることが可能で、いずれの場合も足場から各物品（筐体）へのアクセスが容易に行える。
【図面の簡単な説明】
【００１９】
【図１】図１は、枠体の正面図と、四方向の側面図である。
【図２】図２は、足場の正面図と、２方向の側面図と、正面図に記載した方向から見た図である。
【図３】図３は、バンド締結部材およびバンドを示す図である。
【図４】図４は、実施形態の装柱架台を、枠体の長辺が柱状物（電柱）の鉛直軸に平行になるように装架した図である。
【図５】図５は、実施形態の装柱架台を、枠体の長辺が柱状物（電柱）の鉛直軸に垂直になるように装架した図である。
【発明を実施するための形態】
【００２０】
実施形態の装柱架台は、枠体１０と、足場２０と、２個のバンド締結部材３０と、２つのバンド４０と、それらを締結するためのボルトおよびナットを有する。
【００２１】
図１は、枠体１０の正面図と、四方向の側面図である。枠体１０は、鉄板をボルトおよびナットで締結した１４５０ｍｍ×５２０ｍｍの枠であるが、溶接等で締結されてもよく、他の材料で形成することも可能である。
【００２２】
枠体１０は、短辺の側面に１６０ｍｍピッチで３個ずつ形成された締結用の貫通穴１１および１２を有し、長辺の側面の中央部に１６０ｍｍピッチで３個ずつ形成された締結用の貫通穴１３および１４を有する。枠体１０は、一方の長辺の側面に取り付けられた安全フックを掛ける安全フック部１５Ａおよび１５Ｂを有する。
【００２３】
枠体１０は、長辺方向に３つの部分１６−１８に分けられ、それぞれの部分は、短辺に平行に伸びる２枚の取付板の組と、長辺に平行に伸びる２枚の取付板の組と、を有し、取付板には物品（筐体）を取り付けるための貫通穴が設けられている。３つの部分１６−１８の大きさは、取り付ける筐体を勘案して決定される。
【００２４】
図２は、足場２０の正面図と、２方向の側面図と、正面図に記載したＰ方向から見た図である。足場２０は、５２０ｍｍ×３００ｍｍの枠２３と、枠２３から垂直方向に伸びる足を乗せる足載板２４と、足載板２４を支持するように枠２３から斜めに伸びた支持板２５と、を有し、すべて鉄板をボルトおよびナットで締結して形成されるが、溶接等で締結されてもよく、他の材料で形成することも可能である。
【００２５】
足場２０は、枠２３の上辺および下辺に１６０ｍｍピッチで３個ずつ形成された締結用の貫通穴２１および２２を有する。
【００２６】
図３は、バンド締結部材３０およびバンド４０を示す図である。
【００２７】
図３の（Ａ）は、バンド締結部材３０の正面図および２方向の側面図である。バンド締結部材３０は、鉄製のＬ字部材で、底面に１６０ｍｍピッチで３個形成された締結用の貫通穴３１、および背面に設けられた２個の回転止めアングル３２を有する。回転止めアングル３２は、ボルトおよびナットでＬ字部材に締結される。
【００２８】
図３の（Ｂ）に示すように、バンド４０は、鉄製の円柱棒をＵ字形に曲げたもので、両端にはネジ４１が形成されており、それぞれナット４２がねじ込まれる。
【００２９】
図４は、実施形態の装柱架台を、枠体１０の長辺が柱状物（電柱）５０の鉛直軸に平行になるように装架した図である。このような装架は、２個の筐体を取り付ける場合に行われる。以下、図４に示すように装架する手順を説明する。
【００３０】
まず、枠体１０の下辺に足場２０の上辺を合わせ、枠体１０の下辺の３個の貫通穴１２と足場２０の上辺の３個の貫通穴２１を一致させ、ボルトを通してナットで締結する。
【００３１】
次に、バンド締結部材３０を枠体１０の上辺に合わせ、バンド締結部材３０の３個の貫通穴３１を枠体１０の上辺の３個の貫通穴１１と一致させ、ボルトを通してナットで締結する。同様に、バンド締結部材３０を足場２０の下辺に合わせ、バンド締結部材３０の３個の貫通穴３１を足場２０の下辺の３個の貫通穴２２と一致させ、ボルトを通してナットで締結する。
【００３２】
上記のように締結した枠体１０、足場２０および２個のバンド締結部材３０を、柱状物（電柱）５０の装架位置に運び上げ、１個のみナットがねじ込まれた２つのバンド４０の両端を、２個のバンド締結部材３０のバンド用の貫通穴に通し、ナットをねじ込む。バンド４０の各端部で、２個のナットを締め、枠体１０および足場２０を柱状物（電柱）５０に固定する。
【００３３】
次に、装架する２個の物品（筐体）６０Ａ、６０Ｂを運び上げ、枠体１０の部分１６−１７に取り付ける。これで装架が完了する。
【００３４】
図４の状態では、作業者が足場２０上に立つと、装架された物品（筐体）６０Ａおよび６０Ｂは、鉛直方向に配置され、作業員が物品（筐体）６０Ａおよび６０Ｂに対する作業を行い易い位置に存在する。これにより、物品（筐体）６０Ａおよび６０Ｂの設置およびメンテナンスの作業効率が向上する。
【００３５】
図５は、実施形態の装柱架台を、枠体１０の長辺が柱状物（電柱）５０の鉛直軸に垂直になるように装架した図である。このような装架は、３個の筐体を取り付ける場合に行われる。以下、図５に示すように装架する手順を説明する。
【００３６】
まず、枠体１０の安全フック部１５Ａおよび１５Ｂが設けられていない長辺の中央部に足場２０の上辺を合わせ、枠体１０の長辺の中央部の３個の貫通穴１４と足場２０の上辺の３個の貫通穴２１を一致させ、ボルトを通してナットで締結する。
【００３７】
次に、バンド締結部材３０を枠体１０の安全フック部１５Ａおよび１５Ｂが設けられている長辺の中央部に合わせ、バンド締結部材３０の３個の貫通穴３１を枠体１０の長辺の３個の貫通穴１３と一致させ、ボルトを通してナットで締結する。同様に、バンド締結部材３０を足場２０の下辺に合わせ、バンド締結部材３０の３個の貫通穴３１を足場２０の下辺の３個の貫通穴２２と一致させ、ボルトを通してナットで締結する。
【００３８】
上記のように締結した枠体１０、足場２０および２個のバンド締結部材３０を、柱状物（電柱）５０の装架位置に運び上げ、１個のみナットがねじ込まれた２つのバンド４０の両端を、２個のバンド締結部材３０のバンド用の貫通穴に通し、ナットをねじ込む。バンド４０の各端部で、２個のナットを締め、枠体１０および足場２０を柱状物（電柱）５０に固定する。
【００３９】
次に、装架する３個の物品（筐体）６０Ｃ−６０Ｅを運び上げ、枠体１０の部分１８−１６に取り付ける。これで装架が完了する。
【００４０】
図５の状態では、作業者が足場２０上に立つと、装架された物品（筐体）６０Ｃ−６０Ｅは、横方向に３個並んで配置されており、作業員が物品（筐体）６０Ｃ−６０Ｅに対する作業を行い易い位置に存在する。これにより、物品（筐体）６０Ｃ−６０Ｅの設置およびメンテナンスの作業効率が向上する。
【００４１】
以上説明したように、実施形態では、２個または３個の物品（筐体）を柱状物に装架する場合に同じ装柱架台が使用でき、作業員は、足場に立つことにより、装架された２個または３個の物品（筐体）に容易にアクセスすることができる。
【００４２】
なお、実施形態では、バンド締結部材を使用したが、バンド締結部材を使用せずに、バンドを枠体および足場に締結して柱状物に固定することも可能である。
【００４３】
以上、本発明の実施形態を説明したが、記載した実施形態は発明を説明するためのもので、当業者には、特許請求の範囲において各種の変形例があり得ることが容易に理解可能である。
【符号の説明】
【００４４】
１０    枠体
１１−１４    締結用貫通穴
１５Ａ、１５Ｂ    安全フック部
１６−１８    部分
２０    足場
２１−２２    締結用貫通穴
３０    バンド締結部材
４０    バンド
【要約】
【課題】共通の枠体および足場を使用して、筐体が異なる場合でも、足場に立つことにより各筐体へのアクセスが容易な架台を実現。
【解決手段】鉛直に立てられた柱状物50に物品60A-60Eを取り付けるための装柱架台であって、長方形の枠体10と、枠体に取り付けられる足場20と、を有し、足場20は、枠体10に取り付けるための枠体締結部21を備え、枠体10は、足場20を、長方形の短辺および長方形の長辺の中央部に取り付けるための足場締結部12,14を有し、枠体10を長方形の長辺が柱状物の鉛直軸に平行になるように柱状物に取り付ける時には、長方形の短辺に足場を取り付け、枠体を長方形の長辺が柱状物の鉛直軸に垂直になるように柱状物に取り付ける時には、長方形の長辺に足場を取り付けるようにした装柱架台。
【選択図】図４【図１】
0005420046.tif 000002
【図２】
0005420046.tif 000003
【図３】
0005420046.tif 000004
【図４】
0005420046.tif 000005
【図５】
0005420046.tif 000006